(57)【要約】【課題】ユーザーが使用状態におけるストッキングの色味を簡便に把握できるカラーフィッティングツール及びその使用方法を提供する。【解決手段】伸縮する素材を用いたストッキング用のカラーフィッティングツール１０は、使用状態の素材の色味を再現した使用見本部１２ｄ、１３ｄ、１４ｄと、前記素材に関する情報を示す情報部１２ａ、１３ａ、１４ａを備えたプレート１２，１３，１４を有し、前記使用見本部１２ｄ、１３ｄ、１４ｄは、光が透過可能となっている。【選択図】図１
2020170124.tif 000002
【特許請求の範囲】
【請求項１】
伸縮する素材を用いたストッキング用のカラーフィッティングツールであって、
使用状態の素材の色味を再現した使用見本部と、前記素材に関する情報を示す情報部とを備えたプレートを有し、
前記使用見本部は、光が透過可能となっている、
ことを特徴とするカラーフィッティングツール。
【請求項２】
前記プレートは、厚さが０．５ｍｍ以下の樹脂製の透明板から形成される、
ことを特徴とする請求項１に記載のカラーフィッティングツール。
【請求項３】
自由状態の素材の色味を再現した製品見本部を有する、
ことを特徴とする請求項１又は２に記載のカラーフィッティングツール。
【請求項４】
前記使用見本部には、つや消し処理がなされている。
ことを特徴とする請求項１〜３のいずれか１項に記載のカラーフィッティングツール。
【請求項５】
異なる色味を再現した前記使用見本部と前記情報部をそれぞれ有する複数枚の前記プレートを、回動自在に連結してなる、
ことを特徴とする請求項１〜４のいずれか１項に記載のカラーフィッティングツール。
【請求項６】
請求項１〜５のいずれか１項に記載のカラーフィッティングツールの使用方法であって、
前記使用見本部を人肌の上に置き、
前記使用見本部を透過した前記人肌からの反射光と、前記使用見本部からの反射光とを同時に視認する、
ことを特徴とするカラーフィッティングツールの使用方法。
【発明の詳細な説明】
【技術分野】
【０００１】
本発明は、カラーフィッティングツール及びその使用方法に関する。
【背景技術】
【０００２】
パンティストッキングなどのストッキングを購入しようとするユーザーのため、販売店には、カラーフィッティング用にストッキング見本が置かれている。かかるストッキング見本は、ストッキングの生地を裁断したものを使用しているので、ユーザーが、購入しようとするストッキングの生地の肌触りを実際に触って確かめることができる。
【０００３】
一方、ストッキングの生地は高い伸縮性を有するため、自由状態では生地が縮む一方、実際にストッキングを着用した使用状態では生地が大きく伸びる。このため自由状態と使用状態とでは、生地の色味が大きく異なる。そこでユーザーは、ストッキング見本に自らの手を挿入するなどの工夫をして、使用状態の色味を再現しようと試みるが、手と脚とでは太さが異なるので正確な色味再現は困難である。
【０００４】
さらに、一般的にストッキングの試着はできないから、ユーザーはストッキング見本等より使用状態の色味を想像して、ストッキングを選択し購入せざるを得ない。そのため、購入したストッキングを実際に着用したら、想像とは違う色味であったため気に入らないという問題もしばしば起こる。また、ストッキング見本は多くのユーザーが手にするものであり、乱暴に取扱われることで見本の生地の解れや伝線等が生じ、それを見たユーザーが購買意欲を減退させる虞もある。このため、ストッキング見本は短いサイクルで交換が必要となり、コストの増大を招く。
【０００５】
特許文献１には、パンティストッキング等カールしやすい素材の色・生地状態を実物等で観察することができる見本帳が開示されている。
【先行技術文献】
【特許文献】
【０００６】
【特許文献１】特開平０４−３３０４８５号公報
【発明の概要】
【発明が解決しようとする課題】
【０００７】
特許文献１に開示された見本帳は、カールしやすい素材を裁断して伸ばしつつ、その表面又は裏面の全面に、切抜口を備えた保形フィルムを接着したものから形成されている。特許文献１に開示された見本帳では、自由状態に近い素材の色を把握することはできるが、ユーザーが実際に着用した状態でのストッキングの色味を把握することは困難である。
【０００８】
本発明は、ユーザーが使用状態におけるストッキングの色味を簡便に把握できるカラーフィッティングツール及びその使用方法を提供することを目的とする。
【課題を解決するための手段】
【０００９】
本発明のカラーフィッティングツールは、伸縮する素材を用いたストッキング用のカラーフィッティングツールであって、使用状態の素材の色味を再現した使用見本部と、前記素材に関する情報を示す情報部とを備えたプレートを有し、前記使用見本部は、光が透過可能となっている。
【発明の効果】
【００１０】
本発明によれば、ユーザーが使用状態におけるストッキングの色味を簡便に把握できるカラーフィッティングツール及びその使用方法を提供することができる。
【図面の簡単な説明】
【００１１】
【図１】図１は、カラーフィッティングツールの上面図である。
【図２】図２は、カラーフィッティングツールの上面図である。
【図３】図３は、カラーフィッティングツールの使用方法を説明するための図である。
【図４】図４は、変形例にかかるカラーフィッティングツールに用いることができるプレートの斜視図である。
【発明を実施するための形態】
【００１２】
以下、図面を参照して、本発明の実施形態にかかるカラーフィッティングツールについて説明する。本実施形態は、異なる色味を再現した使用見本部をそれぞれ有する複数枚のプレートを、回動自在に連結してなるカラーフィッティングツールである。図１、２は、カラーフィッティングツールの上面図である。
【００１３】
ストッキング用のカラーフィッティングツール１０は、表紙１１と、第１プレート１２と、第２プレート１３と、第３プレート１４とを有し、これらの一端近傍はハトメ１５により相互に回動可能に連結されている。なお、ハトメを用いる代わりに、表紙１１と、プレート１２〜１４とに穴をあけて、かかる穴を通した紐等でこれらを連結してもよい。
【００１４】
表紙１１は紙製又は樹脂製の薄板であり、表紙１１には、カラーフィッティングツールであることを示す文字１１ａのほか、ストッキングの商標名や、使用方法などの情報を記載することができる。この実施形態における表紙１１の全長は、プレート１２〜１４の全長の約１／２としているが、任意の長さとすることができる。
【００１５】
プレート１２〜１４は、形状が共通する樹脂製の透明板から形成され、厚さが０．５ｍｍ以下（より好ましくは０．３ｍｍ前後）であり、全長が１５〜２０ｃｍ、幅が５〜７ｃｍであると好ましい。用いる樹脂としてはＰＰ（ポリプロピレン）が好ましいが、それに限られることはなく、透明性、柔軟性があり薄板にしても割れにくい樹脂であれば使用可能である。なお、プレート１２〜１４の角は斜めにカットすることで、使用時にユーザーの肌を傷つけないようにしている。
【００１６】
第１プレート１２は、ハトメ１５側の第１情報部１２ａと、ハトメ１５から離間した側の第１見本部１２ｂとを有する。第１見本部１２ｂは、端部に設けた製品見本部１２ｃと、使用見本部１２ｄとを有する。
【００１７】
第１見本部１２ｂは、ストッキングの第１の素材（例えば、色：ロゼワイン）を再現した製品見本部１２ｃと使用見本部１２ｄとを有する。製品見本部１２ｃは、自由状態での第１の素材を撮像して画像データを取得し、この画像データに基づいて、素材の画像を光透過板に網点印刷することにより形成される。すなわち、製品見本部１２ｃは、第１の素材の自由状態の色味を再現した区域である。網点印刷についてはよく知られているので、説明を省略する。
ここで、自由状態とは、伸縮性を有するストッキングの素材に対し外力を加えない状態をいう。
【００１８】
また、使用見本部１２ｄは、第１の素材を用いたストッキングを使用状態で撮像して画像データを取得し、この画像データに基づいて、素材の画像を光透過板に網点印刷することにより形成される。すなわち、使用見本部１２ｄは、第１の素材の使用状態の色味を再現した区域であり、半透明である。
ここで、使用状態とは、例えば標準体系のモデルが伸縮性を有するストッキングを着用したときに生じる引っ張り力と同等の力で、該ストッキングの素材が展伸された状態をいう。素材に付与される引っ張り力は、実験やシミュレーションで求めることができる。
【００１９】
自由状態と使用状態とでストッキングの素材自体の色は変わらないが、繊維間隔が変化することで、自由状態よりも使用状態の方が単位面積当たりの平均色（これを色味という）が薄く見える。第１プレート１２においては、使用見本部１２ｄの色味は、製品見本部１２ｃの色味より薄くなる。
本明細書にて「使用状態の素材の色味を再現する」とは、自由状態の素材の単位面積当たりの平均色よりも、使用状態の素材の単位面積当たりの平均色に色差（色空間におけるユークリッド距離）を近づけることをいう。また、「自由状態の素材の色味を再現する」とは、使用状態の素材の単位面積当たりの平均色よりも、自由状態の素材の単位面積当たりの平均色に色差を近づけることをいう。色味は完全に一致させる必要はないが、ユーザーの目で見て、再現された色味が使用状態又は自由状態での素材の色味と判別がつかないほど近似していることが望ましい。
使用見本部１２ｄには、第１の素材を示す情報（例えば、素材番号、色など）１２ｇを重ねて印刷してもよい。又は、第１の素材を示す情報１２ｇは、第１情報部１２ａに付与してもよい。
【００２０】
画像形成後において、第１見本部１２ｂの表面に透明なコーティングを施すことが望ましい。コーティングを施すことで、印刷された素材の画像を擦れやキズなどから保護することができる。なお、コーティングとしては、ストッキングという製品の肌触りに近づけるため、ニスの塗布など、つや消し（マット）処理が施されると好ましい。
【００２１】
第１情報部１２ａには、例えば白色の塗料を表面に塗布した後に、この塗料塗布面に有色の塗料を用いて、カラーフィッティングツール１０を肌に当てて用いるという使用方法の情報１２ｅや、第１の素材（例えば、色：ロゼワイン）が推奨されるユーザーの情報１２ｆなどを印刷することができる。
【００２２】
第２プレート１３は、ハトメ１５側の第２情報部１３ａと、ハトメ１５から離間した側の第２見本部１３ｂとを有する。第２見本部１３ｂは、ストッキングの第１の素材とは異なる第２の素材（例えば、色：ハニーブラウン）の自由状態の色味を再現した区域である製品見本部１３ｃと、第２の素材を用いたストッキングの実際の使用状態の色味を再現した区域である使用見本部１３ｄとを有する。
使用見本部１３ｄには、第２の素材を示す情報（例えば、素材番号、色など）１３ｇを重ねて印刷してもよい。第２の素材を示す情報１３ｇは、第２情報部１３ａに付与してもよい。
【００２３】
製品見本部１３ｃと使用見本部１３ｄの形成手法については、第１プレート１２と同様であるため重複説明を省略する。
【００２４】
第２情報部１３ａには、図示していないが、例えば白色の塗料を表面に塗布した後に、この塗料塗布面に有色の塗料を用いて、カラーフィッティングツール１０を肌に当てて用いるという使用方法の情報や、第２の素材（例えば、色：ハニーブラウン）が推奨されるユーザーの情報などを印刷することができる。
【００２５】
第３プレート１４は、ハトメ１５側の第３情報部１４ａと、ハトメ１５から離間した側の第３見本部１４ｂとを有する。第３見本部１４ｂは、ストッキングの第１の素材及び第２の素材とは異なる第３の素材（例えば、色：ヘーゼルブラウン）の自由状態の色味を再現した区域である製品見本部１４ｃと、第３の素材を用いたストッキングの実際の使用状態の色味を再現した区域である使用見本部１４ｄとを有する。
使用見本部１４ｄには、第３の素材を示す情報（例えば、素材番号、色など）１４ｇを重ねて印刷してもよい。第３の素材を示す情報１４ｇは、第３情報部１４ａに付与してもよい。
【００２６】
製品見本部１４ｃと使用見本部１４ｄの形成手法については、第１プレート１２と同様であるため重複説明を省略する。
【００２７】
第３情報部１４ａには、図示していないが、例えば白色の塗料を表面に塗布した後に、この塗料塗布面に有色の塗料を用いて、カラーフィッティングツール１０を肌に当てて用いるという使用方法の情報や、第３の素材（例えば、色：ヘーゼルブラウン）が推奨されるユーザーの情報などを印刷することができる。
【００２８】
本実施形態のカラーフィッティングツール１０では、３枚のプレート１２〜１４のみを備えているが、ストッキングの種類や色合いに応じて必要な枚数のプレートを追加することができる。この場合、表紙１１に近い側から、淡色より濃色に順次色が変化するようにプレートを並べることが望ましい。また、本実施形態で用いた素材の色は一例であり、これ以外にも任意の色の素材を用いることができる。
【００２９】
本実施形態に示すカラーフィッティングツール１０は、図２に示すように、表紙１１と、プレート１２〜１４とを回動させて整列させることで、コンパクトに収容することができる。
【００３０】
図３は、カラーフィッティングツール１０の使用方法を説明するための図である。カラーフィッティングツール１０は、ストッキング製品の販売店に置かれると好ましい。ストッキングの購入を希望するユーザーは、カラーフィッティングツール１０の情報部１２ａ、１３ａ、１４ａを参考にして購入候補を決め、それに対応するプレートを選択する。ここでは、第１プレート１２が選択された例を示す。
【００３１】
次いで、ユーザーは、選択した第１プレート１２を他のプレート及び表紙１１と分離し、図３に示すように、第１見本部１２ｂの使用見本部１２ｄを、自身の腕ＡＭ上に重ねて載置する。この作業をカラーフィッティングという。
【００３２】
このとき、紫外線が当たりやすい腕ＡＭの外側表面より、紫外線が当たりにくい腕ＡＭの内側表面の方が、自身の脚の肌色に近いので、使用見本部１２ｄは腕ＡＭの内側表面上に載置することが好ましい。また、使用見本部１２ｄは腕ＡＭの幅寸法を覆うことができるサイズとすると好ましい。
【００３３】
半透明の第１見本部１２ｂは、光を透過する。したがって、室内光または太陽光が使用見本部１２ｄを透過して腕ＡＭの内側表面に当たり、その肌色反射光が使用見本部１２ｄを透過したとき、ユーザーがこれを視認できる。また、ユーザーは、使用見本部１２ｄからの見本反射光も同時に視認する。
【００３４】
使用見本部１２ｄは、第１の素材を用いたストッキングの使用(着用)状態での色味を再現しているため、腕ＡＭの肌色反射光と見本反射光とが混在した光により形成される疑似的色味は、ユーザー自身が第１の素材のストッキングを着用している場合において、ストッキングを透過する肌からの反射光とストッキング自体の反射光とが混在した光により形成される現実的色味と近似したものとなる。すなわち、使用見本部１２ｄが、使用状態の第１の素材の色味を再現しているので、使用見本部１２ｄを腕の肌に当てて使用して得られる色味は、同じ第１の素材のストッキングを脚に着用した際の色味とほぼ同じになる。
【００３５】
したがって、ユーザーは、自身の腕ＡＭ上に重ねた使用見本部１２ｄを観察することにより、仮に第１の素材のストッキングを着用した場合に、それが自身の好みに一致する色味となるか否かを簡便に推認できる。好みに一致した場合、ユーザーは、第１見本部１２ｂに形成された情報１２ｇに基づいて、所望するストッキング製品を選択することができる。一方、好みに一致しなかった場合、ユーザーは、カラーフィッティングツール１０から別のプレートを選択して、新たなカラーフィッティングを行うことにより、好みの色のストッキングを選ぶことが可能になる。
【００３６】
自由状態のストッキング素材の色味を再現した製品見本部１２ｃ、１３ｃ、１４ｃは、ユーザーがパッケージされたストッキング製品を選ぶ際に参考とすることができる。
【００３７】
ユーザー個々に肌色が異なるので、カラーフィッティングツール１０の同じプレートを用いた場合、肌色反射光と見本反射光とが混在した光により形成される疑似的色味も異なる。本実施の形態によれば、ユーザー自身の腕ＡＭを用いてストッキングのカラーフィッティングを行うので、あたかもストッキングを試着した場合と同様な状態を疑似的に作り出すことができる。このため、カラーフィッティングツール１０は、ユーザーを限定しないユニバーサルなツールとなる。
【００３８】
加えて、カラーフィッティングツール１０は、樹脂製のプレートに素材の画像を網点印刷したものであるため擦れにくく、またキズが付きにくく、現物サンプルに比べ耐久性が大幅に向上しており、長期間の使用に耐えうる。このため、カラーフィッティングツール１０は、短期間で交換が必要な従来のストッキング見本に比べ、維持費用を低く抑えることができる。
【００３９】
以上の実施形態において、画像データに基づく光透過板への網点印刷により、第１見本部１２ｂ、第２見本部１３ｂ、第３見本部１４ｂに素材の画像を形成しているが、それぞれストッキングの素材の色味を再現でき、かつ肌色反射光を透過可能であれば、上記印刷手法にこだわらない。印刷の代わりに着色した樹脂からプレートを形成して、半透明板としてもよい。また、複数のプレートを重ねてカラーフィッティングを行うことで、ストッキングの重ね履きなどにも対応できる。
【００４０】
図４は、変形例にかかるカラーフィッティングツールに用いることができるプレートの斜視図である。上述したカラーフィッティングツール１０では、平板状のプレート１２〜１４を使用しているが、プレートは必ずしも平板状に限らない。例えば図４に示すように、プレート１６の一部を半円筒状とすることができ、この半円筒状の部分に使用見本部１６ｄを形成することができる。使用見本部１６ｄの内径は、ユーザーの腕幅より若干大きくなっている。それ以外の構成は、上述した実施形態と同様であるため重複説明を省略する。
【００４１】
この変形例によれば、立体形状の使用見本部１６ｄをユーザーの腕に被せるように置くことで、その肌色反射光と見本反射光とが混在した光により形成される疑似的色味を、現実的色味に更に近づけることができる。これにより、ユーザーは好みのストッキングをより正確に選ぶことができる。
【００４２】
なお本変形例では、上述した実施の形態と同様に、素材に関する情報（不図示）を付与する情報部１６ａを平板状としているが、これを使用見本部１６ｄに続く半円筒状としてもよい。かかる場合、プレート１６は一部が切り欠かれた環状となる。
【符号の説明】
【００４３】
１０    カラーフィッティングツール
１１    表紙
１２    第１プレート
１３    第２プレート
１４    第３プレート
１５    ハトメ
１６    変形例にかかるプレート
【図１】
2020170124.tif 000003
【図２】
2020170124.tif 000004
【図３】
2020170124.tif 000005
【図４】
2020170124.tif 000006